(57)【要約】【課題】  操作者の明確な意図により投影を開始する電子機器を提供する。【解決手段】  画像を投影する投影部３８と、被写体を撮像する撮像部３０と、前記投影部及び前記撮像部を収容する筐体４と、前記筐体に設けられ、操作方向に抗して付勢され、前記投影部により投影を行う投影モードに設定可能な投影モードスイッチ２０と、前記投影モードスイッチが所定時間以上操作されたことを検知する検知部４２と、前記検知部により前記投影モードスイッチが所定時間以上操作されたことを検知した場合に、前記投影モードに設定する投影モード設定部４４とを備える。【選択図】  図３
2010191271.tif 000002
【特許請求の範囲】
【請求項１】
画像を投影する投影部と、
被写体を撮像する撮像部と、
前記投影部及び前記撮像部を収容する筐体と、
前記筐体に設けられ、操作方向に抗して付勢され、前記投影部により投影を行う投影モードに設定可能な投影モードスイッチと、
前記投影モードスイッチが所定時間以上操作されたことを検知する検知部と、
前記検知部により前記投影モードスイッチが所定時間以上操作されたことを検知した場合に、前記投影モードに設定する投影モード設定部と
を備えることを特徴とする電子機器。
【請求項２】
前記投影モードスイッチは、前記筐体の上面の略中央に設けられることを特徴とする請求項１記載の電子機器。
【請求項３】
前記投影モードスイッチは、前記筐体の背面または側面に設けられることを特徴とする請求項１記載の電子機器。
【請求項４】
画像を投影する投影部と、
被写体を撮像する撮像部と、
前記投影部及び前記撮像部を収容する筐体と、
前記筐体に設けられた画像を表示する画像表示部と、
前記筐体に設けられ、操作方向に抗して付勢され、前記投影部により投影を行う投影モードを設定可能な投影モードスイッチと、
前記投影モードスイッチが操作されたことを検知する検知部と
前記検知部により前記投影モードスイッチが第１の所定回数操作されたことを検知した場合に、前記画像表示部に確認画面を表示する表示制御部と、
前期検知部によりさらに前記投影モードスイッチが第２の所定回数操作されたことを検知した場合に、前記投影モードに設定する投影モード設定部と
を備えることを特徴とする電子機器。
【発明の詳細な説明】
【技術分野】
【０００１】
本発明は、電子機器に関するものである。
【背景技術】
【０００２】
プロジェクタを備えた電子機器が知られている（例えば、特許文献１参照）。この電子機器においては撮影モードと投影モードとをモード切替ボタンにより切り替えることができる。
【先行技術文献】
【特許文献】
【０００３】
【特許文献１】特開２００８−２７８３５８号公報
【発明の概要】
【発明が解決しようとする課題】
【０００４】
この電子機器においては、モード切替ボタンの構成について詳細な検討が行われていないが、投影を開始する際に光源から光が射出されることを鑑みれば操作者の明確な意図により投影を開始することが好ましい。
【０００５】
本発明の目的は、操作者の明確な意図により投影を開始する電子機器を提供することである。
【課題を解決するための手段】
【０００６】
本発明の電子機器は、画像を投影する投影部と、被写体を撮像する撮像部と、前記投影部及び前記撮像部を収容する筐体と、前記筐体に設けられ、操作方向に抗して付勢され、前記投影部により投影を行う投影モードに設定可能な投影モードスイッチと、前記投影モードスイッチが所定時間以上操作されたことを検知する検知部と、前記検知部により前記投影モードスイッチが所定時間以上操作されたことを検知した場合に、前記投影モードに設定する投影モード設定部とを備えることを特徴とする。
【発明の効果】
【０００７】
本発明の電子機器によれば、操作者の明確な意図により投影を開始することができる。
【図面の簡単な説明】
【０００８】
【図１】本発明の第１の実施の形態に係るカメラの前面を示す斜視図である。
【図２】本発明の第１の実施の形態に係るカメラの背面を斜視図である。
【図３】本発明の第１の実施の形態に係るカメラのシステム構成を示すブロック図である。
【図４】本発明の第１の実施の形態に係るカメラの投影モード設定処理を示すフローチャートである。
【図５】本発明の第１の実施の形態に係るカメラの撮影モード設定処理を示すフローチャートである。
【図６】本発明の第１の実施の形態に係るカメラの変形例の前面を示す斜視図である。
【図７】本発明の第１の実施の形態に係るカメラの変形例の背面を示す斜視図である。
【図８】本発明の第２の実施の形態に係るカメラの投影モード設定処理を示すフローチャートである。
【図９】本発明の第２の実施の形態に係るカメラの確認画面を示す図である。
【図１０】本発明の第３の実施の形態に係るカメラの前面を示す斜視図である。
【発明を実施するための形態】
【０００９】
以下、図面を参照して本発明の第１の実施の形態に係る電子機器についてプロジェクタを備えたカメラを例に説明する。図１は、実施の形態に係るカメラの前面を示す斜視図である。カメラ２はプロジェクタを備えるデジタルカメラであって、筐体４を備え、筐体４の前面には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８が設けられ、また、上面の略中央には操作方向である垂直下方向に抗して垂直上方向に付勢され、後述する投影ユニット３８により投影を行う投影モードに設定可能である押しボタン式の投影モードスイッチ２０が設けられている。
【００１０】
図２は、実施の形態に係るカメラの背面を示す斜視図である。筐体４の背面には、撮像された画像、撮影条件等を表示するＬＣＤ表示部２２、ＬＣＤ表示部２２に表示された撮影条件等を選択するマルチセレクタ２４等が設けられている。
【００１１】
図３は、実施の形態に係るカメラのシステム構成を示すブロック図である。カメラ２は、ＣＰＵ２５を備え、ＣＰＵ２５には、電源ボタン１６、レリーズボタン１８、投影モードスイッチ２０等を備える操作部２６、ＬＣＤ表示部２２の表示を制御する表示制御部２８、撮影レンズを介した被写体を撮像して撮像信号（蓄積電荷としてのアナログ信号）を生成するＣＣＤ或いはＣＭＯＳ等により構成される撮像素子３０、撮像素子３０から出力された撮像信号を図示しないＡ／Ｄ変換部においてＡ／Ｄ変換することにより生成された画像データを記憶する画像記憶部３２、撮像素子３０から出力される撮像信号に基づく画像データに、ホワイトバランス調整、輪郭補償、ガンマ補正等の画像処理を行う撮像画像処理部３４、撮像画像や投影画像、種々のデータを記憶するメモリカード３６、画像記憶部３２やメモリカード３６に記憶された画像や種々のデータを投影する投影ユニット３８、投影される投影画像の画像データに対して諧調補正を行う投影画像処理部４０、投影モードスイッチ２０が所定時間以上操作されたことを検知する検知部４２、検知部４２により投影モードスイッチ２０が所定時間以上操作されたことを検知した場合に投影モードに設定する投影モード設定部４４が接続されている。
【００１２】
ここで、投影ユニット３８は、光源であるＬＥＤ４６の点灯及び消灯を行う電源制御部４８、投影する画像を表示するＬＣＯＳ５０の表示制御を行う投影制御部５２を備えている。
【００１３】
次に、図４に示すフローチャートを参照して実施の形態に係るカメラの投影モード設定処理について説明する。本実施の形態に係るカメラおいて、電源ボタン１６が操作されると撮像素子３０を備える図示しない撮像ユニットによりカメラ撮影を行う撮影モードとして起動する。また、投影モードスイッチ２０は、撮影モード時に操作されるとプロジェクタモードに設定可能であり、投影モード時に操作されると撮影モードに設定可能であるものとする。また、投影モード設定部４４は、投影モード及び撮影モードの設定を行うものとする。
【００１４】
撮影モードで起動中に投影モードスイッチ２０が押されたことを検知部４２により検知すると（ステップＳ１）、それが長押しであるか否か、即ち、例えば２秒等、第１の閾値以上の時間、投影モードスイッチ２０が押されたか否かの判定を行う（ステップＳ２）。第１の閾値以上の時間押された場合には、投影モード設定部４４は投影モードに設定し（ステップＳ３）、電源制御部４８はＬＥＤ４６を点灯する（ステップＳ４）。そして、投影制御部５２は、メモリカード３６等から読み出した画像データをＬＣＯＳ５０に表示し、投影を行う（ステップＳ５）。
【００１５】
一方、ステップＳ２において検知部４２により検知された投影モードスイッチ２０の押された時間が第１の閾値未満の時間である場合は、処理を終了する。
【００１６】
図５は実施の形態に係るカメラの撮影モード設定処理を示すフローチャートである。投影モードで起動中に投影モードスイッチ２０が押されたことを検知部４２により検知すると（ステップＳ６）、第１の閾値よりも短い、ごく短い時間である第２の閾値以上の時間押されたか否かを判定する（ステップＳ７）。第２の閾値以上の時間押された場合は、電源制御部４８はＬＥＤ４６を消灯し（ステップＳ８）、投影モード設定部４４はカメラ２の起動状態を撮影モードに設定する（ステップＳ９）。
【００１７】
本実施の形態に係るカメラによれば、所定の時間以上投影モードスイッチを押すという操作者の明確な意図があった場合のみ投影を開始することができる。
【００１８】
従って、ＬＥＤから射出された光が不意に他人の目に入ることを防止することができ、安全性を確保することができる。また、投影モードスイッチの構造は簡単なものであり、また操作性に優れたものとすることができる。
【００１９】
なお、上述の実施の形態においては、投影モードスイッチ２０を筐体４の上面の略中央に設ける構成としたが、図６に示すように投影モードスイッチ５４を筐体４の側面に設ける構成としてもよいし、図７に示すように投影モードスイッチ５６を筐体４の背面に設ける構成としてもよい。これらの場合には、操作者が筐体４の上面に設けられたレリーズボタン１８を操作する場合等に、不意に投影モードスイッチが押されることを防止でき、操作者の明確な意図があった場合にのみ投影を開始することができる。
【００２０】
また、上述の実施の形態においては、投影モードスイッチを押しボタン式のものとして説明したが、付勢されたスイッチであればよく、例えばスライド式のスイッチとであってもよい。
【００２１】
次に、図面を参照して本発明の第２の実施の形態に係るカメラについて説明する。第１の実施の形態に係るカメラにおいては、検知部において投影モードスイッチが押された時間を検知したが、第２の実施の形態に係るカメラの検知部においては投影モードスイッチが押された回数を検知する構成に変更したものである。従って、第１の実施の形態に係るカメラ２と同一の構成についての詳細な説明は省略し、異なる部分のみについて詳細に説明する。また、上述のカメラ２の構成と同一の構成には同一の符号を付して説明する。
【００２２】
図８に示すフローチャートを参照して第２の実施の形態に係るカメラの撮影モード設定処理について説明する。撮影モードでの起動中に投影モードスイッチ２０が押されたことを検知部４２により検知すると（ステップＳ１１）、表示制御部２８はＬＣＤ表示部２２に図９に示す投影モードを選択するか否かの確認画面を表示する（ステップＳ１２）。そして、操作者により投影モードが選択されたか否かを確認する（ステップＳ１３）。ここで、操作者により再度投影モードスイッチ２０が押された場合に投影モードが選択されたと判定し、他のボタンが押された場合には投影モードが選択されなかったものと判定する。
【００２３】
そして、投影モードスイッチ２０が押された場合は、ステップＳ１４〜Ｓ１６に示す処理を行う。ステップＳ１４〜Ｓ１６に示す処理は、図４のフローチャートのステップＳ３〜Ｓ５に示す処理とそれぞれ同様であるため、説明は省略する。一方、ステップＳ１３において投影モードが選択されなかった場合は、処理を終了する。
【００２４】
また、本実施の形態に係るカメラの投影モードでの起動時において、撮影モードの設定を行う場合には図５のフローチャートに示す撮影モード設定処理を行う。
【００２５】
なお、上述の実施の形態においては、投影モードスイッチが１回押されると確認画面を表示し、さらに１回投影モードスイッチが押されると投影を開始する構成としたが、投影モードスイッチが押される回数は任意の回数でよい。例えば、投影モードスイッチが２回押されると確認画面を表示し、さらに２回投影モードスイッチが押されると投影を開始する構成としてもよい。また、確認画面を表示するまでに投影モードスイッチが押される回数と確認画面を表示してから投影を開始するまでに投影モードスイッチが押される回数を異なるものとしてもよく、例えば、投影モードスイッチが１回押されると確認画面を表示し、さらに２回投影モードスイッチが押されると投影を開始する構成としてもよい。
【００２６】
次に、図面を参照して本発明の第３の実施の形態に係るカメラについて説明する。この第３の実施の形態に係るカメラは、第１の実施の形態に係るカメラにおいて押しボタン式であった投影モードスイッチを付勢されていないスライドスイッチに変更したものである。従って、第１の実施の形態に係るカメラ２と同一の構成についての詳細な説明は省略し、異なる部分のみについて詳細に説明する。また、上述のカメラ２の構成と同一の構成には同一の符号を付して説明する。
【００２７】
図１０は、第３の実施の形態に係るカメラの前面を示す斜視図である。カメラ５８は、筐体４を備え、筐体４の前面には、撮影窓１０、プロジェクタ投影窓１２、フラッシュ窓１４が設けられている。また、筐体４の上面には、電源スイッチ１６、レリーズボタン１８が設けられ、また、上面に設けられた凹部には、投影ユニット３８により投影を行う投影モードに設定可能であるスライド式の投影モードスイッチ６０が設けられている。この投影モードスイッチ６０は、投影モードと撮影モードに設定可能であり、投影モードと撮影モードに対応する２つの位置にスライドスイッチが停止するように不図示のクリック機構が設けられている。
【００２８】
また、投影モードスイッチ６０は筐体４の上面から突出しないように設けられており、操作者が意図しない投影の開始を防ぐことができる。
【符号の説明】
【００２９】
２…カメラ、４…筐体、２０…投影モードスイッチ、２４…ＣＰＵ、３８…投影ユニット、４２…検知部、４４…投影モード設定部。
【図１】
2010191271.tif 000003
【図２】
2010191271.tif 000004
【図３】
2010191271.tif 000005
【図４】
2010191271.tif 000006
【図５】
2010191271.tif 000007
【図６】
2010191271.tif 000008
【図７】
2010191271.tif 000009
【図８】
2010191271.tif 000010
【図９】
2010191271.tif 000011
【図１０】
2010191271.tif 000012